(57)【要約】【課題】片手でも落としてしまうことなく手軽に持ち上げて飲料を飲むことができる液体容器の提供を目的とする。【解決手段】胴部２２に液体を貯留し、上部に注出口１２を有した容器本体１３に、ハンドル１５を起伏可能に枢着し、上記ハンドル１５は、その長さ方向の中間部分に、起立姿勢のときに把持する中間側把持部４２を備えるとともに、その長さ方向の基部側部分に、倒伏姿勢のとき胴部２２の側方で把持する基部側把持部４３を備え、上記基部側把持部４３の上記胴部２２との対向部分に、胴部２２に添当てた手の甲側部分を押当て可能な甲側押当て部４４を形成し、手の掌側部分を胴部２２に添当てるとともに、手の甲側部分を上記甲側押当て部４４に押当てて手掛けを許容する手掛け許容空間Ｂを、上記胴部２２と上記基部側把持部４３との間に構成した液体容器１１，２１。【選択図】図１
2009173290.tif 000002
【特許請求の範囲】
【請求項１】
胴部に液体を貯留し、上部に注出口を有した容器本体と、上記注出口を閉塞する蓋と、上記容器本体に枢着して起伏可能に構成したハンドルを備えた液体容器であって、
上記ハンドルは、その長さ方向の中間部分に、起立姿勢のときに把持する中間側把持部を備えるとともに、その長さ方向の基部側部分に、倒伏姿勢のときに胴部の側方で把持する基部側把持部を備え、
上記基部側把持部の上記胴部との対向部分に、胴部に添当てた手の甲側部分を押当て可能な甲側押当て部を形成し、
手の掌側部分を胴部に添当てるとともに、手の甲側部分を上記甲側押当て部に押当てて手掛けを許容する手掛け許容空間を、上記胴部と上記基部側把持部との間に構成した
液体容器。
【請求項２】
上記胴部の上記甲側押当部との対向部分に、指を係止可能な胴部側指係止部を形成した
請求項１に記載の液体容器。
【請求項３】
上記甲側押当部に、指を係止可能なハンドル側指係止部を形成した
請求項１、又は、請求項２に記載の液体容器。
【請求項４】
上記中間側把持部を、倒伏姿勢において上記胴部に嵌着保持可能に胴部の外周に沿った形状で形成した
請求項１から請求項３のうちいずれか１項に記載の液体容器。
【請求項５】
上記中間側把持部を、上記胴部に取外し可能に嵌合する嵌合形状で構成した
請求項４に記載の液体容器。
【請求項６】
上記基部側把持部を、倒伏姿勢において胴部の縦方向に沿った形状で形成した
請求項１から請求項５のうちいずれか１項に記載の液体容器。
【請求項７】
上記胴部の中間側把持部との対向部分に、上記中間側把持部を取り出し可能に収容する収容凹部を形成した
請求項１から請求項６のうちいずれか１項に記載の液体容器。
【発明の詳細な説明】
【技術分野】
【０００１】
この発明は、主に、携帯用魔法瓶や水筒などの携帯用の液体容器に関する。
【背景技術】
【０００２】
液体容器は、携帯しながらでも手軽に蓋の開操作を行い飲料が飲むことができる携帯用ものが多く普及している。
【０００３】
例えば、蓋や栓を螺着により、注出口と開閉自在に構成した螺着式のものや、反転方向へ付勢させた蓋を、ボタンの押動にり跳ね上げて注出口を開けるボタン押圧式のものが知られている。
【０００４】
このボタン押圧式の中には、特許文献１に開示の「液体容器」のように、外出先で不測にボタンが押圧されないようロック機構を備えたものも知られ、飲料時には、ロック解除操作の後で開操作を行なうことになる。
【０００５】
上述したいずれのタイプも、飲料時には、一方の手で容器本体を把持しておき、他方の手で蓋の開操作を行なうことができるため、外出時において手軽に飲料を飲むことができる。
【０００６】
しかし、外出先では、容器本体の胴部を片手で把持し、例えば、歩きながらなど他の動作をしながら上述した蓋の開操作やロック解除操作を行なうことも多いため、そのような場合、把持している液体容器を滑り落としてしまうおそれがある。
【０００７】
最近では、大容量化の要求が高まっていることもあり、容器本体に貯留できる飲料の最大容量が例えば、２リットルなど、大型に構成したものも存在し、このような大容量型液体容器の場合は、容器本体の胴部の外周径も大きくなるので、片手で把持することがより一層、困難となる。
【０００８】
大容量型液体容器の場合は、一方の腕で液体容器を、抱え上げておき、他方の手で開操作を行ない飲料を飲む必要がある。或いは、液体容器を平坦な面に接地した状態で蓋開操作を行い、その後、両手で液体容器を持ち上げて飲料を飲む必要があり、いずれにしても手軽に飲料を飲むことができないといった課題を有する。
【０００９】
【特許文献１】特開２００６−１４１７９９号公報
【発明の開示】
【発明が解決しようとする課題】
【００１０】
そこでこの発明は、片手でも落としてしまうことなく手軽に持ち上げて飲料を飲むことができる液体容器の提供を目的とする。
【課題を解決するための手段】
【００１１】
本発明の液体容器は、胴部に液体を貯留し、上部に注出口を有した容器本体と、上記注出口を閉塞する蓋と、上記容器本体に枢着して起伏可能に構成したハンドルを備えた液体容器であって、上記ハンドルは、その長さ方向の中間部分に、起立姿勢のときに把持する中間側把持部を備えるとともに、その長さ方向の基部側部分に、倒伏姿勢のときに胴部の側方で把持する基部側把持部を備え、上記基部側把持部の上記胴部との対向部分に、胴部に添当てた手の甲側部分を押当て可能な甲側押当て部を形成し、手の掌側部分を胴部に添当てるとともに、手の甲側部分を上記甲側押当て部に押当てて手掛けを許容する手掛け許容空間を、上記胴部と上記基部側把持部との間に構成したことを特徴とする。
【００１２】
上記構成により、液体容器を持ち上げる際には、ハンドルを倒伏姿勢の状態で、手掛け許容空間に差し込んだ手の掌側部分を胴部に添当てるとともに、甲側部分（背側部分）を上記甲側押当て部に押当てる。
【００１３】
さらに、上記甲側押当て部と胴部との側へ軽く突張っることにより、手掛け許容空間において手を掛けることができるとともに、この突張力を利用して液体容器を片手でも滑り落とすことなく容易に持ち上げることができる。
【００１４】
その他にも、液体容器は、ハンドルを倒伏姿勢としたとき、上記基部側把持部を、直接、コップの側方に備えた取手のように片手で把持して持ち上げることもできる。
【００１５】
よって、上述したいずれの持ち上げ方の場合も、液体容器を片手で持ち上げることができるため、持ち上げた後、もう片方の手で、蓋の開操作やロック解除操作などの飲料を飲むための操作を適宜、行うことができ、携帯しながらでも、容器本体を内部の液体を注出口から手軽に注ぎだすことができる。
【００１６】
さらに、本発明の液体容器は、ハンドルを起立姿勢としたとき、中間側把持部を把持して容器本体を吊り下げた状態で持ち歩くことができる。
【００１７】
ここで、上記起立姿勢とは、上記中間側把持部を容器本体、及び、蓋よりも上方にまで上昇させてハンドルを起立させたときの姿勢を示す。  
上記倒伏姿勢とは、上記中間側把持部を容器本体の胴部に当接するまで降下させてハンドルを倒伏させたときの姿勢を示す。
【００１８】
この発明の態様として、上記胴部の上記甲側押当部との対向部分に、指を係止可能な胴部側指係止部を形成することができる。
【００１９】
上記態様により、手の掌側部分を胴部に添当てたとき、該掌側部分の特に指を胴部側指係止部に係止することができる。このため、手から容器本体が滑り落ちることなく、より一層、確実に持ち上げることができる。
【００２０】
この発明の態様として、上記甲側押当部に、指を係止可能なハンドル側指係止部を形成することができる。
【００２１】
上記態様により、手の甲側部分を上記甲側押当部に押し当てたとき、該甲側部分の特に指をハンドル側指係止部に係止することができる。このため、手から容器本体が滑り落ちることなく、より一層、確実に持ち上げることができる。さらに、直接、基部側把持部を取手のようにして把持して持ち上げる上述した持ち上げ方をした場合も、手の掌側部分の特に指がハンドル側指係止部に係止するため、確実に持ち上げることができる。
【００２２】
上記胴部側指係止部、及び、ハンドル側指係止部は、人差し指、中指、薬指、小指、親指の少なくとも、いずれか一つの指を係止可能に凹状、凸（突）状、或いは、これらを組み合わせた形状で形成することができる。
【００２３】
この発明の態様として、上記中間側把持部を、倒伏姿勢において上記胴部に嵌着保持可能に胴部外周形状に沿った形状で形成することができる。
【００２４】
上記態様により、ハンドルを倒伏姿勢としたとき、上記中間側把持部が、容器本体の半径方向外側へ不用意に突き出した形状にならず、その分、接地スペース削減できるため、効率的な商品搬送を実現することができる。
【００２５】
この発明の態様として、上記中間側把持部を、上記胴部に取外し可能に嵌合する嵌合形状で構成することができる。
【００２６】
上記態様により、ハンドルを倒伏姿勢としたとき、胴部に嵌合することができるため、例えば、飲料を飲む際に、容器本体に対してハンドルが不用意に枢動することがなく、液体容器を安定して持ち上げたり傾けたりすることができる。
【００２７】
この発明の態様として、上記基部側把持部を、倒伏姿勢において胴部の縦方向に沿った形状で形成することができる。
【００２８】
上記態様により、手首を傾けることなく手掛け許容空間において手を掛けたり、取手のようにして上記基部側把持部を把持することができるため、液体容器を、片手でも容易に持ち上げることができる。
【００２９】
この発明の態様として、上記胴部の中間側把持部との対向部分に、上記中間側把持部を取り出し可能に収容する収容凹部を形成することができる。
【００３０】
上記構成により、ハンドルを倒伏姿勢としたとき、中間側把持部を収容凹部に収容することができるため、中間側把持部に衝撃が加わるなどしても不測に胴部から外れて回動自在な状態にならないよう、ハンドルをしっかりと収容しておくことができる。
さらに、胴部から中間側把持部が突き出さないため、コンパクトな形態にすることができ、外観上の見栄えも良好とすることができる。
【発明の効果】
【００３１】
本発明は、片手でも手軽に持ち上げて落としてしまうことなく飲料を飲むことができる液体容器を提供することができる。
【発明を実施するための最良の形態】
【００３２】
この発明の一実施形態を以下図面と共に説明する。  
（第一実施形態）  
第一実施形態における飲料容器１１の構成を、図１から図６を用いて説明する。  
上記飲料容器１１は、内部に液体を貯留し、上部に注出口１２を有した容器本体１３と、上記注出口１２を閉塞する蓋１４と、上記容器本体１３に枢着して起伏可能に構成したハンドル１５を備えている。
【００３３】
なお、図１、図２、図３、図４は、それぞれ飲料容器１１の外観図、正面図、背面図、右側面図を示す。図５（ａ），（ｂ）は、それぞれ飲料容器１１の平面図、及び、飲料容器１１の上部を、拡大するとともに蓋１４の一部を破断して示した構成説明図を示す。図６は、図２におけるＡ−Ａ端面図を示す。
【００３４】
上記容器本体１３は、例えば、１．８リットル程度の飲料を内部の貯留空間に貯留可能な貯留容器１６を備えるとともに、該貯留容器１６の上部に取り外し可能に装着される栓体１９を備えている。  
上記貯留容器１６は、いずれも合成樹脂製であり有底円筒状に形成した２つの部材を一体嵌合した２層構造により構成し、外周部に胴部２２を構成している。
【００３５】
上記栓体１９は、その上面外周側の一部分に上記注出口１２を備え、該注出口１２は、口をつけて直飲みも可能に栓体１９の上面から円筒状に突出した形態で形成している。
【００３６】
上記蓋１４は、上記注出口１２を閉塞可能に栓体１９の上面部において前後方向Ｄ１に備え、その後方部分（基部側部分）を、枢着軸２３によって栓体１９に対して枢着している。上記枢着軸２３の近傍には付勢力によって常時、反転して上記注出口１２を開く方向へ付勢する付勢バネを備えている。
【００３７】
栓体１９の前方側部分（先端側部分）には、蓋１４の開操作を行なうための蓋開操作部２４を備えている。  
上記蓋開操作部２４は、蓋１４を倒伏して注出口１２を閉塞した姿勢（図１１に示す蓋１４の姿勢）で蓋１４の前方部分に有する被係合部５６ｂを係合可能とする係合爪５６ａを、上方へ突出した形態で備えている（図２参照）。
【００３８】
さらに、上記蓋開操作部２４の幅方向の両外側には、上記係合爪５６ａによる被係止部５６ｂの係合を押圧により解除するスイッチ２５を備えている。さらにまた、上記蓋開操作部２４には、略コの字型をした係合ロック部材２６を、蓋１４の前方側部分を外周側からロック（係合）、或いは、ロック解除（係合解除）可能に枢着している。
【００３９】
また、図５（ｂ）に示すように、貯留容器１６の上部には、該貯留容器１６の外周径と略同じ口径で開口する開口部Ａを備えている。栓体１９の下部には、上記開口部Ａの開口縁部２７に外周側から嵌め込み可能に下方へ垂下した嵌込み部３２を構成している。
【００４０】
上記貯留容器１６の開口縁部２７の外周側には、上記栓体１９に螺着可能な一方の螺子部３３ａを形成している。これに対して、上記栓体１９の上記嵌込み部３２の内周側には、上記一方の螺子部３３ａと螺着可能な他方の螺子部３３ｂを形成している。
【００４１】
さらに、上記貯留容器１６の上記一方の螺子部３３ａの螺子形成方向の終端部分には、栓体１９を貯留容器１６に螺着したとき、螺着完了付近においてそれ以上の栓体１９の回動を物理的に規制する位置決めストッパ３４を形成している。
【００４２】
位置決めストッパ３４は、栓体１９を貯留容器１６に螺着したとき、図５（ｂ）に示すように、その螺着完了時において栓体１９の周方向における注出口１２や、蓋開操作部２４側が貯留容器１６の前方側、すなわち、貯留容器１６に対して栓体１９が図１から図６に示す姿勢となるよう位置決めする。  
これにより、図１から図５に示すように、ハンドル１５と容器本体１３との枢着部分（ハンドル枢着部３５）は、容器本体１３の上部であって、容器本体１３の幅方向Ｄ２の両側に位置することになる。
【００４３】
なお、ハンドル１５は、ハンドル枢着部３５において、貯留容器１６に対して着脱可能に構成している。さらに、貯留容器１６を平面視したとき上記ハンドル枢着部３５の時計回り方向の近傍には、ベルト挿通孔を有したベルト取付部３６を構成している。
【００４４】
上記ハンドル１５は、その長さ方向の中間部分に、起立姿勢のときに把持する中間側把持部４２を備えるとともに、その長さ方向の基部側部分に、倒伏姿勢のとき胴部２２の幅方向Ｄ２の側方で把持する基部側把持部４３を備えている。  
ここで、上記起立姿勢とは、ハンドル１５を容器本体１３に対して蓋１４よりも上方に達するまで枢動させたときの姿勢であり、図２中、実線で示したハンドル１５の姿勢を示す。上記倒伏姿勢とは、ハンドル１５を容器本体１３の前方側において胴部２２に当接するまで降下させたときの姿勢であり、図２中、仮想線で示したハンドル１５の姿勢を示す。
【００４５】
続いて、ハンドル１５の形態について詳述する。  
ハンドル１５は、該ハンドル１５の長さ方向の両側（基部側）に上記基部側把持部４３を備え、さらに、該基部側把持部４３，４３の間に中間側把持部４２を配した形態で一体に成形している。さらに、ハンドル１５は、中間側把持部４２と基部側把持部４３との連結部分を、略直角に屈曲させた形態で形成している（図４参照）。
【００４６】
ハンドル１５を倒伏姿勢において上記基部側把持部４３は、胴部２２の側方において上記ハンドル枢着部３５から垂下した形状であるとともに、該基部側把持部４３の中間部分が胴部２２に対して外側へ緩やかに突き出した円弧形状で形成している（図２、及び、図３参照）。
【００４７】
上記基部側把持部４３の上記胴部２２との対向部分には、胴部２２に添当てた手の甲側部分を押当て可能な甲側押当て部４４を形成している。
【００４８】
さらに、上記胴部２２と上記基部側把持部４３との間には、この間に差し込んだ手の掌側部分を上記胴部２２に添当てるとともに、手の甲側部分を上記基部側把持部４３側へ押し当てて手掛け可能な手掛け許容空間Ｂを構成している。
【００４９】
また、上記甲側押当て部４４に、指を係止可能にハンドル側指係止部４５を形成している。  
詳しくは、上記ハンドル側指係止部４５は、上記甲側押当て部４４の長さ方向にかけて、所定間隔ごとに配設した３つの突状部分で形成している。ハンドル側指係止部４５（３つの突状部分）の形成位置は、基部側把持部４３自体を把持した手の掌側部分における、人指指、中指、薬指、小指の各指間に相当する位置であるとともに、手掛け許容空間Ｂに差し込んだ手の甲側部分における、人指指、中指、薬指、小指の各指間に相当する位置である。
【００５０】
続いて、上記中間側把持部４２は、ハンドル１５を倒伏姿勢としたとき上記胴部２２の前方側半分の外周部分に対して取り外し可能に嵌合する嵌合形状、すなわち、撓み変形可能に該外周部分に沿った略半円弧形状で形成している。
【００５１】
詳しくは、図６に示すように、中間側把持部４２は、胴部２２に嵌め込んだとき、ほぼ円弧形状から胴部２２によって押し広げられた形状で撓み変形し、この撓み変形力Ｆ（復元力）により、上記中間側把持部４２の長さ方向の両端部分が胴部２２を両側から挟み込んで（挟持して）胴部２２に嵌合することができる。  
ここで上記中間側把持部４２の長さ方向の両端部分（連結部分）を、胴部挟持部４６に設定する。
【００５２】
胴部挟持部４６は、中間側把持部４２を胴部２２に嵌合したとき、胴部２２の幅方向Ｄ２の両側部分であるとともに、基部側把持部４３の直下部分に備えることができる。
【００５３】
また、上記中間側把持部４２の長さ方向の中間部における胴部２２との対向部分には、倒伏姿勢において胴部２２に当接する突状の胴部当接部４７を備えている（図２、及び、図６参照）。
【００５４】
最後に、胴部２２の形態について説明する。  
上記胴部２２は、上記容器本体１３の外周部分に相当し、上記胴部当接部４７との対向部分には、指を係止可能な胴部側指係止部５２を形成している。  
上記胴部側指係止部５２は、胴部２２の背面側を除く周方向全体に、縦方向Ｄ３（上下方向Ｄ３）にかけて、配設した４つの凹状部分であり、それぞれ胴部２２における容器本体１３の幅方向Ｄ２両側部分に手を添当たときの人指指、中指、薬指、小指の各指が対向する対向部分を緩やかな凹状に形成している。
【００５５】
なお、上記胴部側指係止部５２は、胴部２２の背面側を除く周方向全体に形成し、上記胴部側指係止部５２の長さ方向の両端部分は、背面側へ進むに従って徐々に凹状の溝幅が小さくなり、溝深さが浅くなる形状で形成している。
【００５６】
また、胴部２２の中間側把持部４２の胴部当接部４７が対向する対向部分の下部側には、嵌合解除用凹部５３を形成している。上記嵌合解除用凹部５３は、胴部２２に対する中間側把持部４２の嵌合を意図的に解除する際に手を差込可能な凹状形態で形成している。
【００５７】
続いて、飲料容器１１を用いて蓋１４が閉姿勢であり、ハンドル１５が倒伏姿勢の状態から飲料を飲む一実施例について図７を用いて説明する。  
なお、図７（ａ），（ｂ）は、いずれも飲料容器１１の作用説明図であり、飲料容器１１を用いて飲料を飲む本実施例の説明図である。さらに、図７（ａ）は、平面視右側のベルト取付部３６を省略して示しているとともに、基部側把持部４３の上部を破断して示している。
【００５８】
飲料容器１１の使用者は、図７（ａ）中の右手のように、左右いずれか一方の手を手掛け許容空間Ｂに差し込み、胴部２２に手の掌側部分を添当てる。さらに、手掛け許容空間Ｂにおいて手を少し屈曲するなどして図７（ａ）中の一部拡大図に示すように、手の甲側部分を上記甲側押当て部４４に押し当てる。このようにして、胴部２２と基部側把持部４３との間で手を突っ張り、その突張力を利用して、飲料容器１１を片手でも滑り落とすことなく、持ち上げることができる。
【００５９】
そして、もう片方の左手で、例えば、ロック係合部のロックを解除し、ボタンを押すことにより（図示せず）、蓋１４の開操作を行い、図７（ｂ）に示すように、注出口１２に口をつけて飲料を飲むことができる。
【００６０】
例えば、従来の大容量タイプの飲料容器の場合、片手で胴部２２を把持して持ち上げることができないため、蓋１４の開閉操作を行うためには、片腕に抱えて持ち上げる必要があった。若しくは、一旦、平坦状の面に接地して開操作を行ってから両手で持ち上げるといった必要があり、いずれの場合も、飲料を飲むためには、手間を要していた。  
これに対して、第一実施形態の飲料容器１１は、１．８リットルの容量を貯留可能な大容量タイプであるが、上述したように片手でも手軽に持ち上げて飲料を飲むことができる。
【００６１】
また、ハンドル１５が倒伏姿勢のとき、胴部挟持部４６の挟持力Ｆにより、中間側把持部４２を胴部２２にしっかりと嵌合しておくことができる。このため、飲料容器１１を持ち上げたり、甲側押当て部４４に手の甲側部分を押し当てても、不測に中間側把持部４２が胴部２２から外れてしまうことがなく、安定して持ち上げることができる。
【００６２】
さらに、胴部２２に手を添当てたとき、掌側部分の例えば、人差し指、中指、薬指、小指の各指を、凹状の上記胴部側指係止部５２に当接させて係止することができる。それとともに、甲側部分の例えば、上述した各指の間に、凹状のハンドル側指係止部４５を配することにより係止することができる。
【００６３】
このため、手掛け許容空間Ｂにおいて手を、上述したように軽く突っ張るだけで掛けることができ、滑り落ちることなく、飲料容器１１を容易に持ち上げることができる。
【００６４】
また、上述した実施例で示した飲料容器１１の持ち上げ方で持ち上げれば、手の掌側部分を胴部２２にぴたりと接触させた状態で飲料容器１１を安定して持ち上げることができる。
【００６５】
なお、万一にも、手掛け許容空間Ｂにおいて手が滑った場合であっても、ハンドル枢着部３５に手が引っ掛かるため、確実に飲料容器１１が落下することを阻止することができる。
【００６６】
勿論、使用者は、予め、注出口１２が開口している場合など適宜、両手で飲料容器１１の胴部２２を把持しながら持ち上げて飲料を飲むこともできる。その場合においても、胴部２２に添えた手を上記胴部側指係止部５２に係止することができる。このため、従来の大容量型の飲料容器の上記胴部側指係止部５２を形成していない胴部を両手で持ち上げる場合と異なり、胴部２２を軽く掴むだけで滑り落とすことなく確実に持ち上げることができる。
【００６７】
続いて、上述した飲料容器１１を用いて飲料を飲む際の他の実施例について図８を用いて説明する。  
なお、図８は、飲料容器１１の他の作用説明図であり、飲料容器１１を用いて飲料を飲むための上述とは異なる実施例の説明図である。さらに、図８（ａ）は、図７（ａ）と同様に、平面視右側のベルト取付部３６を省略して示しているとともに、基部側把持部４３の上部を破断して示している。
【００６８】
使用者は、倒伏姿勢におけるハンドル１５の左右両側に有する上記基部側把持部４３，４３のうち、例えば、図８（ａ）に示すように、平面視右側の基部側把持部４３を右手で直接、把持して飲料容器１１を持ち上げることができる。
【００６９】
このように、使用者は、ハンドル１５が倒伏姿勢の状態で上記基部側把持部４３を、通常のコップに備えた取手のように把持して飲料を飲むことができる。
【００７０】
そして、上述した実施例と同様に、もう片方の左手でロック解除操作、蓋１４開操作を行い（図示せず）、図８（ｂ）に示すように、容易に飲料を飲むことができる。
【００７１】
さらに、飲料容器１１は、図８（ａ）の一部拡大図に示すように、上記基部側把持部４３を把持したとき、手の掌側部分の例えば、人差し指、中指、薬指、小指の各指を、ハンドル側指係止部４５に係止することができるため、使用者は、片手でも飲料容器１１を、より一層、滑り落とすことなく持ち上げることができる。
【００７２】
また、図５（ａ）、及び、図６に示すように、上記中間側把持部４２は、ハンドル１５が倒伏姿勢において、胴部２２の前方側外周部分に沿った略半円弧状形状であるため、胴部２２に嵌合したとき、飲料容器１１の半径方向外側へ突き出した形態とならない。  
このため、飲料容器１１は、ハンドル１５が倒伏姿勢において、上記基部側把持部４３のみが半径方向（幅方向Ｄ２）の外側にへ突出した形態となる（図５（ａ）参照）。
【００７３】
よって、図９に示すように、飲料容器１１を、例えば、一辺がＬの平面視正方形状をした箱７０などの空間７０Ｂ内に接地した場合、飲料容器１１は、平面視正方形状の空間７０Ｂの対角線上７０ｃに、上記基部側把持部４３が有して飲料容器１１の幅方向Ｄ２が一致するため、空間７０Ｂ内に収まるよう接地することができる。
【００７４】
これに対して、図１２に示すように、一般的なコの字型形状のハンドル１０１を備えた従来の飲料容器１００を上述した空間７０Ｂと同じ大きさをした正面視正方形状の空間７０Ｂに接地した場合、図１２（ａ），（ｂ）に示すように接地方向を変えても、ハンドル１００が空間７０Ｂからはみ出してしてしまい空間７０Ｂ内に収めることができない。
【００７５】
従って、第一実施形態の飲料容器１１は、空間内に効率的に納めることができるため、コンパクトに梱包することができるとともに、商品運搬時などにおいても、場所を要さず、運搬の効率化を図ることができる。
【００７６】
さらにまた、飲料容器１１は、ハンドル１５を起立姿勢とすれば、図１０に示すように、中間側把持部４２を把持すこともできる。すなわち、ハンドル１５を起立姿勢とすれば、通常のハンドルのように容器本体１３を吊り下げた状態で中間側把持部４２を把持することができ、この状態で持ち運ぶことができる。  
なお、ハンドル１５を倒伏姿勢から起立姿勢へ変更する際には、まず、中間側把持部４２による胴部２２への嵌合を意図的に解除する。すなわち、中間側把持部４２の下側から嵌合解除用凹部５３に指先を差し込んで中間側把持部４２を手前側（前方側）へ引き寄せることにより行うことができる。これにより、ハンドル１５は、回動自在となり、起立方向へ回動させて起立姿勢へと容易に変更することができる。
【００７７】
（第二実施形態）  
次に、第二実施形態における飲料容器２１について図１１を用いて説明する。  
但し、第二実施形態における飲料容器２１の構成のうち、第一実施形態における飲料容器１１と同様の構成については、同一の符号を付して、その説明を省略する。
【００７８】
第二実施形態の飲料容器２１は、図１１に示すように、ハンドル１５を倒伏姿勢としたとき、胴部２２の中間側把持部４２との対向部分に、該中間側把持部４２を収容可能とする収容凹部５５を形成している。
【００７９】
上記収容凹部５５は、胴部２２の周方向における略前方側半分の外周部分に沿って、略半円弧状に凹状に形成している。
【００８０】
ハンドル１５を倒伏姿勢としたとき、中間側把持部４２は、胴部２２を嵌合した状態で上記収容凹部５５に収容されるよう形成している。一方、基部側把持部４３は、第一実施形態の飲料容器１１と同様に、ハンドル枢着部３５から垂下した形態となるよう形成している。
【００８１】
上記構成により、中間側把持部４２を収容凹部５５へ収容できる分、接地スペースをさらに削減することができるとともに、外観上の見栄えも良好とすることができる。さらに、中間側把持部４２に衝撃などが加わり難くなるため、不測に胴部２２に対する嵌合状態が解除されるをより一層、阻止することができる。
【００８２】
第二実施形態の飲料容器２１の場合も、中間側把持部４２の胴部２２に対する嵌合を意図的に解除する際には、中間側把持部４２の下側から嵌合解除用凹部５３に指を差し込んで、収容凹部５５に収容された中間側把持部４２を手前側へ引き出すことによって行なうことができる。
【００８３】
また、上述した実施形態と、この発明の構成との対応において、この実施形態の飲料容器１１，２１は、この発明の液体容器に対応するも、この発明は、上述の実施形態の構成のみに限定されるものではなく、多くの実施の形態を得ることができる。
【図面の簡単な説明】
【００８４】
【図１】第一実施形態の飲料容器の外観図。
【図２】第一実施形態の飲料容器の正面図。
【図３】第一実施形態の飲料容器の背面図。
【図４】第一実施形態の飲料容器の右側面図。
【図５】第一実施形態の飲料容器の平面図（ａ）一部破断して示した構成説明図（ｂ）。
【図６】図２におけるＡ−Ａ端面図。
【図７】第一実施形態の飲料容器の作用説明図。
【図８】第一実施形態の飲料容器の作用説明図。
【図９】第一実施形態の飲料容器の作用説明図。
【図１０】第一実施形態の飲料容器の作用説明図。
【図１１】第二実施形態の飲料容器の構成説明図。
【図１２】従来の飲料容器の説明図。
【符号の説明】
【００８５】
１１，２１…飲料容器
１２…注出口
１３…容器本体
１４…蓋
１５…ハンドル
２２…胴部
４２…中間側把持部
４３…基部側把持部
４４…甲側押当て部
４５…ハンドル側指係止部
５２…胴部側指係止部
５５…収容凹部
Ｂ…手掛け許容空間
【図１】
2009173290.tif 000003
【図２】
2009173290.tif 000004
【図３】
2009173290.tif 000005
【図４】
2009173290.tif 000006
【図５】
2009173290.tif 000007
【図６】
2009173290.tif 000008
【図７】
2009173290.tif 000009
【図８】
2009173290.tif 000010
【図９】
2009173290.tif 000011
【図１０】
2009173290.tif 000012
【図１１】
2009173290.tif 000013
【図１２】
2009173290.tif 000014